(57)【要約】【課題】球体を用いる電飾において、水晶玉が用いられているかのような印象を与えることができるようにした装飾性に優れた遊技機用の電飾装置を提供することである。【解決手段】パチンコ機の遊技板１０ａの前面側に設けられた光透過性を有する内部中空の球体２２の背部に光源ランプ２３を設ける。球体２２を前側半球体２２ａと後側半球体２２ｂとに２分割し、その分割部間に凸レンズ２７を組込む。前側半球体２２ａの内面２６を、前側半球体２２ａの厚みが中心部から分割面に至るに従って次第に薄肉厚となる球面とし、光源ランプ２３の点灯または点滅時、後側半球体２２ｂを透過した光を凸レンズ２７で拡散させて前側半球体２２ａの全体を均等に発光表示させるようにして、中実の水晶玉が光り輝いているような感じを抱かせる。【選択図】図６
2010269001.tif 000002
【特許請求の範囲】
【請求項１】
遊技機に用いられて遊技の演出を行なう電飾装置であって、光透過性を有する中空の球体と、その球体の背部に設けられて点灯または点滅して球体を背部から照明する光源ランプとからなり、前記球体を前後に分割し、その前側半球体の内面を、前側半球体の厚みが中心部から分割面に至るに従って次第に薄肉厚となる球面とし、その前側半球体と後側半球体の分割部間に、各半球体の開口を閉塞可能な大きさとされて前記光源ランプからの光を拡散する凸レンズを組込んだ遊技機用電飾装置。
【発明の詳細な説明】
【技術分野】
【０００１】
この発明は、パチンコ機やスロットマシンにおける遊技機用の電飾装置に関する。
【背景技術】
【０００２】
遊技板の中央部にセンター役物を取付け、そのセンター役物に設けられた開口の後方に液晶表示装置等の図柄表示装置を配置し、上記センター役物の下方に設けられた始動入賞口に遊技球が入賞した際、図柄表示装置の表示パネルに図柄の変動表示を所定時間行わせ、複数の特別図柄が特定の停止表示態様で停止表示された時、大当たり遊技状態として、特別可変入賞装置の入口を塞いでいた開閉蓋を予め定められた作動条件に従って開閉させるようにしたパチンコ機として、遊技者に興味をもたせ、あるいは、楽しみを与えるために、所定の遊技条件が発生した際、ＬＥＤ等の光源ランプを点灯または点滅させるようにした電飾装置を設けたものが提案されている。
【０００３】
例えば、特許文献１においては、遊技板の前面に形成された遊技領域内に開口を設け、その開口内に入り込むようにして取付けられて開口の周囲を飾る飾り枠の内側開口の背部に液晶表示装置を配置し、その液晶表示装置の周囲に、外周が球面とされた透光性を有するレンズ部材と、そのレンズ部材の背部にＬＥＤからなる光源ランプとを配置し、所定の遊技条件が発生した際、上記光源ランプを点灯させ、あるいは、点滅させて、レンズ部材を照明するようにしている。
【先行技術文献】
【特許文献】
【０００４】
【特許文献１】特開２００５−２０４７９７号公報
【発明の概要】
【発明が解決しようとする課題】
【０００５】
ところで、上記特許文献１に記載されたパチンコ機の電飾装置においては、光源ランプとレンズ部材との間に光拡散フィルムを設け、その光拡散フィルムとレンズ部材のそれぞれにより光を拡散させて、レンズ部材の全体を均等に光らせるようにしているが、遊技者からレンズ部材や光拡散フィルムを通して光源ランプが見えるため、レンズ部材に水晶玉が輝いているようなイメージを持たせることができず、装飾効果を高める上において改善すべき点が残されていた。
【０００６】
この発明の課題は、球体を用いる電飾において、水晶玉が用いられているかのような印象を与えることができるようにした装飾性に優れた遊技機用の電飾装置を提供することである。
【課題を解決するための手段】
【０００７】
上記の課題を解決するために、この発明においては、遊技機に用いられて遊技の演出を行なう電飾装置であって、光透過性を有する中空の球体と、その球体の背部に設けられて点灯または点滅して球体を背部から照明する光源ランプとからなり、前記球体を前後に分割し、その前側半球体の内面を、前側半球体の厚みが中心部から分割面に至るに従って次第に薄肉厚となる球面とし、その前側半球体と後側半球体の分割部間に、各半球体の開口を閉塞可能な大きさとされて前記光源ランプからの光を拡散する凸レンズを組込んだ構成を採用したのである。
【０００８】
上記の構成からなる遊技機用の電飾装置において、光源ランプが点灯または点滅すると、その光源ランプからの光は、後側半球体を透過し、凸レンズにより拡散されて前側半球体の全体を背面から照明することになり、前側半球体は、その全体が均等に光り輝くことになる。
【０００９】
このとき、前側半球体および凸レンズは光透過性を有し、しかも、前側半球体は、中心部での厚みが厚く、分割面に至るに従って厚みが次第に薄くなっているため、中空でありながらも中実の見せかけとすることができ、恰も、水晶玉がきらりと光り輝いているようなイメージを持たせることができる。
【発明の効果】
【００１０】
上記のように、この発明においては、光源ランプからの光を凸レンズにより拡散させるようにしたので、光透過性を有する前側半球体の全体を均等に光らせることができ、しかも、前側半球体は中心部で厚肉とされ、その中心部から分割面に至るに従って肉厚が次第に薄くされているため、透明で中実の水晶玉が光り輝いているようなイメージを持たせることができ、装飾性に優れた電飾装置を得ることができる。
【図面の簡単な説明】
【００１１】
【図１】この発明に係る電飾装置を採用したパチンコ機の斜視図
【図２】遊技盤の正面図
【図３】この発明に係る電飾装置の斜視図
【図４】図３の正面図
【図５】図４のV−V線に沿った断面図
【図６】球体と光源ランプの関係を示す断面図
【発明を実施するための形態】
【００１２】
以下、この発明の実施の形態を図面に基づいて説明する。図１は、遊技機としてのパチンコ機を示す。パチンコ機は、縦長な矩形状に枠組みされた外枠１を有し、その外枠１の一側部に上下で対向するヒンジ片２が固定され、そのヒンジ片２によりパチンコ機の主要構成部を支持する板状の中枠３の一側部が軸支されて開閉可能に支持されている。
【００１３】
中枠３の表側には、上皿５を有する前面枠４が設けられている。前面枠４は、ガラス板やアクリル樹脂等の透明板部の周囲に縁枠を設けた構成とされ、その一側部が中枠３に軸支されて開閉自在とされ、閉鎖状態において中枠３の前面を覆うようになっており、その前面枠４の下側に下皿７を有する皿板６が設けられている。
【００１４】
皿板６の右側には発射ハンドル８が取付けられ、その発射ハンドル８に設けられた発射レバー９を回動操作することにより、上皿５に貯留された遊技球が図示省略した球送り機構を介して発射装置に送り込まれた後、中枠３に取付けられた図２に示す遊技盤１０の遊技領域１１に発射されるようになっている。
【００１５】
図２に示すように、遊技盤１０は、遊技板１０ａを有し、その遊技板１０ａの前面にはガイドレール１２が取付けられ、そのガイドレール１２の内側が遊技領域１１とされている。
【００１６】
遊技領域１１には、遊技板１０ａに形成された図示省略の開口の内周およびその周囲部を覆う飾り枠１３が取付けられ、その飾り枠１３の内側開口１４の背部に液晶表示装置からなる図柄表示装置１５が設けられている。
【００１７】
また、遊技領域１１には、飾り枠１３の周囲に遊技球の落下方向を分散、調整するための多数の釘（図示省略）や風車１６、始動入賞口１７、第１大入賞口１８、第２大入賞口１９等の遊技部品が設けられている。
【００１８】
ここで、始動入賞口１７に遊技球が入賞すると、図柄表示装置１５の表示パネルに図柄の変動表示が所定時間行われる。そして、複数の特別図柄が特定の停止表示態様で停止表示されると、大当たり遊技状態として、第１大入賞口１８または第２大入賞口１９の入口を塞いでいた開閉蓋１８ａ、１９ａが予め定められた作動条件に従って開閉するようになっている。
【００１９】
飾り枠１３は、竜を模した膨出部１３ａを右側部分に有し、その膨出部１３ａの一部にこの発明に係る電飾装置２０が設けられている。
【００２０】
図３乃至図６に示すように、電飾装置２０は、遊技板１０ａに取付けられるホルダ２１と、そのホルダ２１の前側に配置された球体２２と、その球体２２を背部から照明する光源ランプ２３とからなる。
【００２１】
光源ランプ２３は、発光ダイオード（ＬＥＤ）からなる。発光ダイオードとして、ここでは、多色ＬＥＤを採用しているが、単色ＬＥＤを採用してもよい。この光源ランプ２３は、基板２４上に実装され、その基板２４がホルダ２１に形成された前側開口の基板収容凹部２５内に収容されている。
【００２２】
球体２２は、光透過性を有する合成樹脂からなり、内部は中空とされている。球体２２は前後に２分割されて前側半球体２２ａと後側半球体２２ｂとが設けられ、その前側半球体２２ａの内面２６は、前側半球体２２ａの厚みが中心部から分割面に至るに従って次第に薄肉厚となる球面とされている。
【００２３】
前側半球体２２ａと後側半球体２２ｂの分割部間には、光透過性を有する凸レンズ２７が組込まれている。凸レンズ２７は、前側半球体２２ａと後側半球体２２ｂのそれぞれの開口を閉塞可能な大きさとされ、上記光源ランプ２３からの光を拡散させて前側半球体２２ａを背部から照明するようになっている。
【００２４】
上記の構成からなる電飾装置２０においては、所定の遊技条件が発生した際に光源ランプ２３を点灯または点滅させるようにする。ここで、所定の遊技条件下とは、図柄表示装置１５の表示パネルに特別な図柄が揃って大当たりになる前段のリーチ発生時や、小当たりから大当たりにモードが変換されるような場合、あるいは、突然確変や突然時短に変換される場合のように、通常遊技状態から特別遊技状態に遊技モードが変換されるような事態が生じる場合をいう。
【００２５】
いま、光源ランプ２３を点灯または点滅させると、その光源ランプ２３からの光は、後側半球体２２ｂを透過し、凸レンズ２７により拡散されて前側に投光される。このため、前側半球体２２ａは背面の全体が照明されることになり、前側半球体２２ａは、その全体が均等にシャープに光り輝くことになる。
【００２６】
このとき、前側半球体２２ａおよび凸レンズ２７は光透過性を有し、しかも、前側半球体２２ａは、中心部での厚みが厚く、分割面に至るに従って厚みが次第に薄くなっているため、中空でありながらも中実の見せかけとなり、しかも、光源ランプ２３からの光は、後側半球体２２ｂ、凸レンズ２７および前側半球体２２ａのそれぞれを透過するため、前側部からは光源ランプ２３の存在を視認することはできない。
【００２７】
このため、球体２２は、恰も、水晶玉がきらりと光り輝いているような感じとなり、極めて高い装飾効果を発揮することになる。
【００２８】
実施の形態においては、遊技板１０ａの前面に電飾装置を設けた例を示したが、電飾装置の取付位置はこれに限定されるものではない。例えば、前面枠４における縁枠の前面に電飾装置を設けるようにしてもよい。
【００２９】
また、遊技機はパチンコ機に限定されず、スロットマシンであってもよい。
【符号の説明】
【００３０】
２２・・・球体、２２ａ・・・前側半球体、２２ｂ・・・後側半球体、２３・・・光源ランプ、２６・・・内面、２７・・・凸レンズ
【図１】
2010269001.tif 000003
【図２】
2010269001.tif 000004
【図３】
2010269001.tif 000005
【図４】
2010269001.tif 000006
【図５】
2010269001.tif 000007
【図６】
2010269001.tif 000008